(57)【要約】【課題】データ保存の確立。【解決手段】本発明によるデータ保存システムは、第１第１データ（Ｘ”ｊ”）を第１数学的規則（Ｒ”ｊ−１”）により第１第２データ（Ｙ”ｊ”）に変換する第１変換器（Ｓ”ｊ”）と、第１第２データ（Ｙ”ｊ”）に基づいて第２数学的規則を生成する第１生成器（Ｚ”ｊ”）と、第２第１データ（Ｘ”ｊ＋１”）を第２数学的規則（Ｒ”ｊ”）により第２第２データ（Ｙ”ｊ＋１”）に変換する第２変換器（Ｓ”ｊ＋１”）と、第２第２データ（Ｙ”ｊ＋１”）に基づいて第３数学的規則（Ｒ”ｊ＋１”）を生成する第２生成器（Ｚ”ｊ＋１”）とから構成されている。ここで、数学的規則は、写像であり論理的規則に恒等的に同義である（アイデンティカルである）。時間順序を論理順序に変換することにより、時間順序が確定的に保存される。その物理学上の原理は、光速度不変又は電流速度不変の原理に等価であると仮設的に推定される。【選択図】　　　　　図３
2004054865.tif 000002
【特許請求の範囲】
【請求項１】
第１第１データを第１数学的規則により第１第２データに変換する第１変換器と、
前記第１第２データに基づいて第２数学的規則を生成する第１生成器と、
第２第１データを前記第２数学的規則により第２第２データに変換する第２変換器と、
前記第２第２データに基づいて第３数学的規則を生成する第２生成器
とを具える
データ保存システム。
【請求項２】
前記第２変換器は前記第１変換器にハードウエア的にアイデンティカルであり、且つ、前記第２生成器は前記第１生成器にハードウエア的にアイデンティカルである
請求項１のデータ保存システム。
【請求項３】
前記第１数学的規則と前記第２数学的規則と前記第３数学的規則とは同じ数学的原理により生成される
請求項１のデータ保存システム。
【請求項４】
前記第１数学的規則と前記第２数学的規則と前記第３数学的規則とはそれぞれに公開されている
請求項１のデータ保存システム。
【請求項５】
前記第１生成器は、前記第１第１データと前記第１第２データとに基づいて前記第２数学的規則を生成し、
前記第２生成器は、前記第２第１データと前記第２第２データとに基づいて前記第３数学的規則を生成する
請求項１〜４から選択される１請求項のデータ保存システム。
【請求項６】
前記第１生成器は第１第１データに基づいて第２第１数学的規則を生成し、且つ、前記第１第２データに基づいて第２第２数学的規則を生成し前記第２変換器は、前記第２第１データの一部を前記第２第１数学的規則により変換し、且つ、前記第２第１データの残りの一部を前記第２第２数学的規則により変換することにより前記第２第１データを第２第２データに変換し、
前記第２生成器は前記第２第１データに基づいて第３第１数学的規則を生成し、且つ、前記第２第２データに基づいて第３第２数学的規則を生成する
請求項１〜４から選択される１請求項のデータ保存システム。
【請求項７】
第（ｊ−１）第１データを第（ｊ−１）数学的規則により第（ｊ−１）第２データに変換する第（ｊ−１）変換器と、
前記第（ｊ−１）第２データに基づいて第ｊ数学的規則を生成する第ｊ生成器と、
第ｊ第１データを前記第ｊ数学的規則により第ｊ第２データに変換する第ｊ変換器と、
前記第ｊ第２データに基づいて第（ｊ＋１）数学的規則を生成する第（ｊ＋１）生成器
とを更に具える請求項１のデータ保存システム。
【請求項８】
第（ｊ−１）変換器と前記第ｊ変換器とは前記第１変換器にハードウエア的にアイデンティカルである
請求項７のデータ保存システム。
【請求項９】
前記第ｊ生成器は、前記第ｊ第１データと前記第ｊ第２データとに基づいて前記第ｊ数学的規則を生成し、
前記第（ｊ＋１）生成器は、前記第（ｊ＋１）第１データと前記第（ｊ＋２）第２データとに基づいて前記第（ｊ＋２）数学的規則を生成する
請求項８のデータ保存システム。
【請求項１０】
前記（ｊ−１）変換器は、前記第（ｊ−１）第１データの一部を第（ｊ−１）第１数学的規則により変換し、且つ、前記第（ｊ−１）第１データの残りの一部を第（ｊ−１）第２数学的規則により変換することで前記第（ｊ−１）第１データを第（ｊ−１）第２データに変換し、
前記第ｊ生成器は第ｊ第１データに基づいて第ｊ第１数学的規則を生成し、且つ、前記第１第２データに基づいて第ｊ第２数学的規則を生成し、
前記第ｊ変換器は、前記第ｊ第１データの一部を前記第ｊ第１数学的規則により変換し、且つ、前記第ｊ第１データの残りの一部を前記第ｊ第２数学的規則により変換することにより前記第ｊ第１データを第ｊ第２データに変換し、
前記第（ｊ＋１）生成器は前記第ｊ第１データに基づいて第（ｊ＋１）第１数学的規則を生成し、且つ、前記第ｊ第２データに基づいて第（ｊ＋１）第２数学的規則を生成する
請求項８のデータ保存システム。
【請求項１１】
前記第ｊ数学的規則と前記第（ｊ＋１）数学的規則とは公開されている
請求項９のデータ保存システム。
【請求項１２】
前記第１第１データと前記第２第１データとを受信して受け付ける受付コンピュータと、
前記第１第１データと前記第２第１データとを記録する第１メモリと、
前記第１第２データと前記第２第２データとを記録する第２メモリ
とを更に具える請求項１のデータ保存システム。
【請求項１３】
前記第１メモリと前記第２メモリとは、電磁気学的に接続されず、空間的に離隔されている物理的物体である
請求項１２のデータ保存システム。
【請求項１４】
前記第１第１データと前記第２第１データとを受信して受け付ける受付コンピュータと、
前記第１第１データと前記第２第１データとを記録する第１第１メモリと、
前記第１第１データと前記第２第１データとを記録する第１第２メモリと、
前記第１第２データと前記第２第２データとを記録する第２第１メモリと
前記第１第２データと前記第２第２データとを記録する第２第２メモリ
とを更に具える請求項１のデータ保存システム。
【請求項１５】
前記第１第１メモリと前記第１第２メモリとは、電磁気学的に接続されず、空間的に離隔されている物理的物体であり、且つ、前記第２第１メモリと前記第２第２メモリとは、電磁気学的に接続されず、空間的に離隔されている物理的物体である
請求項１４のデータ保存システム。
【請求項１６】
前記第１第１メモリと前記第２第１メモリとは公開されている
請求項１５のデータ保存システム。
【請求項１７】
前記第１第１メモリと前記第２第１メモリとはインタネットを介して公開されている
請求項１６のデータ保存システム。
【請求項１８】
前記第２第１メモリと前記第２第２メモリとは公開されていない
請求項１６又は請求項１７のデータ保存システム。
【請求項１９】
前記受付コンピュータは、前記第１第１データと前記第２第１データとに第１受付時刻と第２受付時刻とをそれぞれに付加して第１受付時刻付データと第２受付時刻付データとにそれぞれに変換し、前記受付コンピュータは、前記第１受付時刻付データと前記第２受付時刻付データとを前記第１データと前記第２データとにそれぞれに読み替える
請求項１２〜１８から選択される１請求項のデータ保存システム。
【請求項２０】
前記第１第１データと前記第２第１データとは、第ｎ第１データと第ｎ第２データとして表現され、前記第ｎ第１データには知覚許容又は知覚拒否のいずれかである知覚可否データが含まれ、
前記受付コンピュータは、前記知覚許容に基づいて前記第ｎ第１データを第３者に対して開放し、前記知覚拒否に基づいて前記第ｎ第１データを第３者に対して秘匿する
請求項１のデータ保存システム。
【請求項２１】
前記第ｎ第１データの集合は、連鎖データと言われ、
前記連鎖データは、第１連鎖データと第２連鎖データに分割され、
前記知覚許容に対応する第ｎ第１データは、前記第１連鎖データに属し、且つ、第２連鎖データに属さず、前記知覚拒否に対応する第ｎ第１データは、前記第２連鎖データに属し、且つ、第１連鎖データに属さない
請求項１のデータ保存システム。
【請求項２２】
前記受付コンピュータは、前記知覚拒否を前記知覚許容に変更して、前記第２連鎖に属する第ｎ第１データを前記第１連鎖データに移す
請求項１〜２１から選択される１請求項のデータ保存システム。
【請求項２３】
前記第１数学的規則と前記第２数学的規則と前記第３数学的規則とはそれぞれに公開されている
請求項１〜２２から選択される１請求項のデータ保存システム。
【請求項２４】
第１第１データは第１単位データに分割され、前記第１第２データは第２単位データに分割され、前記第１単位データはｎ次元２進値で構成されるｎ次元ベクトルであり、ｎ行ｎ列の置換行列が前記第２単位データに基づいて形成され、前記第２数学的規則は前記ｎ次元ベクトルを前記置換行列により変換する規則である
請求項１のデータ保存システム。
【請求項２５】
第１第１データは第１単位データに分割され、前記第１第２データは第２単位データに分割され、前記第１単位データはｎ次元２進値で構成されるｎ次元ベクトルであり、置換変換要素と反転変換要素と恒等変換要素に基づく変換作用素が前記第２単位データに基づいて形成され、前記第２数学的規則は前記ｎ次元ベクトルを前記変換作用素により変換する規則である
請求項１のデータ保存システム。
【請求項２６】
第２第１データは第１単位データに分割され、前記第１第２データは第２単位データに分割され、前記第１単位データはｎ次元２進値で構成されるｎ次元ベクトルであり、ｎ行ｎ列の第１置換行列が前記第２単位データに基づいて形成され、前記第２第１データは第３単位データに分割され、ｎ行ｎ列の第２置換行列が前記第３単位データに基づいて形成され、前記第２数学的規則は前記ｎ次元ベクトルを前記第１置換行列と前記第２置換行列とにより変換する規則である
請求項５又は６のデータ保存システム。
【請求項２７】
前記ｎは１６又は１６の倍数であり、前記ｎ行ｎ列の置換行列は、２つの対角行列で表現され、前記２つの対角行列は同じであり、前記対角行列は８行８列又はｓ行ｓ列の行列であり、ｎ＝２ｓである
請求項２５又は２６のデータ保存システム。
【請求項２８】
前記数学的規則は、時系列的遅れ時間座標系で複数回が前記第２第１データに適用される
請求項１のデータ保存システム。
【請求項２９】
第１連鎖第１第１データを第１連鎖第１数学的規則により第１連鎖第１第２データに変換する第１連鎖第１変換器と、
前記第１連鎖第１第２データに基づいて第１連鎖第２数学的規則を生成する第１連鎖第１生成器と、
第１連鎖第２第１データを前記第１連鎖第２数学的規則により第１連鎖第２第２データに変換する第１連鎖第２変換器と、
前記第１連鎖第２第２データに基づいて第１連鎖第３数学的規則を生成する第１連鎖第２生成器と、
前記第１連鎖第１第１データを第２連鎖第１数学的規則により第２連鎖第１第２データに変換する第２連鎖第１変換器と、
前記第１連鎖第１第１データと前記第２連鎖第１第２データとに基づいて第２連鎖第２数学的規則を生成する第２連鎖第１生成器と、
前記第１連鎖第２第１データを前記第２連鎖第２数学的規則により第２連鎖第２第２データに変換する第２連鎖第２変換器と、
前記第１連鎖第２第１データと前記第２連鎖第２第２データとに基づいて第２連鎖第３数学的規則を生成する第２連鎖第２生成器と、
前記第１連鎖第１第１データと前記第１連鎖第２第１データとを記録する第１メモリと、
前記第１連鎖第１第２データと前記第１連鎖第２第２データとを記録する第２メモリと、
前記第２連鎖第１第２データと前記第２連鎖第２第２データとを記録する第３メモリ
とを具えるデータ保存システム。
【請求項３０】
受付コンピュータと、計算規則を表現する数式のパラメータを数値に置き換えてデータを変換するデータ変換コンピュータと、前記データと前記データ変換コンピュータにより変換されたデータを記録するメモリとを用いてデータを保存するデータ保存方法であり、
前記計算規則は時系列データの時間的順序を論理的順序に変換する計算規則であり、下記ステップの集合：
前記受付コンピュータが時系列データを受け付けるステップと、
前記データ変換コンピュータが前記計算規則に従って前記時系列データを論理列データに変換するステップ
を具え、
前記計算規則は、下記ステップの集合：
前記データ変換コンピュータが前記時系列データのうち時間的に先である時間的先行データ集合をデータ変換論理集合に従って論理データ集合に写像変換するステップと、
前記論理データ集合に基づいて前記データ変換論理集合を生成するステップ
を備え、
前記データ変換論理集合は連鎖群である
データ保存方法。
【発明の詳細な説明】
【０００１】
【発明の属する技術分野】
本発明は、データ保存システム、及び、データ保存方法に関し、特に、時間的連鎖を保存するデータ保存システム、及び、データ保存方法に関する。
【０００２】
【従来の技術】
知的財産は、ますますに高度化し、複雑化し、且つ、数量的に莫大化している。その高度化と複雑化が進む知的財産の価値の判断は、ますますに困難化する。特許的財産は、その特許的価値の判断が専門家でなければ困難であり、その権利化を捨てて特許出願数の増大を抑制することは重要な知的戦略になることが経済学的に予測される。著作物と発明とと科学的発見の保護は、そのプライオリティーが確定されることが重要である。
【０００３】
著作権の本質は、表現が改ざんされ得ない状態を保持することができる権利でなければなならい。特許公報、科学技術論文のような著作物の著作権は、それらが改ざんされないことが保証されない限り、プライオリティー又は時間的優先的権利は実質的には保護され得ない。それらの内容は、時間的優先的権利に対応する。それらの内容が時刻列上時点との対応で確定されることが求められる。時間的順序列の確定の技術の確立が求められる。次に、改ざん不可能であることが求められる。時間的順序列の確定性と改ざん不能性とが同値又は等価であることが更に求められる。
【０００４】
【発明が解決しようとする課題】
本発明の課題は、内容と時刻列上時点との対応を確定する技術を確立することができるデータ保存システム、及び、データ保存方法を提供することにある。
本発明の他の課題は、時間的順序を確定する技術を確立することができるデータ保存システム、及び、データ保存方法を提供することにある。
【０００５】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００６】
本発明によるデータ保存システムは、第１第１データ（Ｘ”ｊ”）を第１数学的規則（Ｒ”ｊ−１”）により第１第２データ（Ｙ”ｊ”）に変換する第１変換器（Ｓ”ｊ”）と、第１第２データ（Ｙ”ｊ”）に基づいて第２数学的規則を生成する第１生成器（Ｚ”ｊ”）と、第２第１データ（Ｘ”ｊ＋１”）を第２数学的規則（Ｒ”ｊ”）により第２第２データ（Ｙ”ｊ＋１”）に変換する第２変換器（Ｓ”ｊ＋１”）と、第２第２データ（Ｙ”ｊ＋１”）に基づいて第３数学的規則（Ｒ”ｊ＋１”）を生成する第２生成器（Ｚ”ｊ＋１”）とから構成されている。ここで、数学的規則は、写像であり論理的規則に恒等的に同義である（アイデンティカルである）。時間順序を論理順序に変換することにより、時間順序が確定的に保存される。その物理学上の原理は、光速度不変又は電流速度不変の原理に等価であると仮設的に推定される。ここで、規則を生成することは、規則を恒等に生成することではない。
【０００７】
データ（Ｘ”ｊ＋１”）を変換するために論理的に先行し既に変換されている論理先行データ（Ｙｊ）に基づいて作成される数学的変換規則Ｒ”ｊ”が用いられる。時間的に先行する時系列データＸ”ｊ”に対して時間的に後行する時系列データＸ”ｊ＋１”は、論理的に先行する論理系列データＹ”ｊ”から作成される数学的論理的規則Ｒ”ｊ”により論理的に後行する論理系列データＹ”ｊ＋１”に変換される。時間的に先行する時系列データＸ”ｊ”の実質的に全てのデータが、時間的に後行する時系列データＸ”ｊ＋１”に変換されるので、後のデータ（の全て）が論理的に先のデータ（の全て）に論理的に連鎖する。従って、データの改ざんは、論理的に見破られる。時間列は、論理列に完全に１対１に対応する。ここで、論理的規則の適用のために用いられるデータは、時間的に先行するデータに恒等的である写像ではない。
【０００８】
第２変換器（Ｓ”ｊ＋１”は、第１変換器（Ｓ”ｊ”）にハードウエア的にアイデンティカル（空間的に同一体）であり、且つ、第２生成器（Ｓ”ｊ＋１”）は第１生成器（Ｓｊ）にハードウエア的にアイデンティカルである。
【０００９】
第１数学的規則（Ｒ”ｊ−１”）と第２数学的規則（Ｒ”ｊ”）と第３数学的規則（Ｒ”ｊ＋１”）とは同じ数学的原理により生成される。
【００１０】
第１数学的規則（Ｒ”ｊ−１”）と第２数学的規則（Ｒ”ｊ−１”）と第３数学的規則（Ｒ”ｊ＋１”）とはそれぞれに公開されていることが重要である。個々人は、互いにデータ改ざんを監視しあうことができ、且つ、自己のデータを他人のデータから復元することができる。
【００１１】
第１生成器（Ｚ”ｊ”）は、第１第１データ（Ｘ”ｊ”）と第１第２データ（Ｙ”ｊ”）とに基づいて第２数学的規則（Ｒ”ｊ”）を生成し、第２生成器（Ｚ”ｊ＋１”）は、第２第１データ（Ｘ”ｊ＋１”）と第２第２データ（Ｙ”ｊ＋１”）とに基づいて第３数学的規則（Ｒ”ｊ＋１”）を生成する。このような第３数学的規則（Ｒ”ｊ＋１”）による２連鎖論理変換は、データ改ざんを不可能にする。他の連鎖部分を保持することができる複数箇所のデータ改ざんの解は、一般的には存在し得ない。
【００１２】
第（ｊ−１）第１データを第（ｊ−１）数学的規則により第（ｊ−１）第２データに変換する第（ｊ−１）変換器と、第（ｊ−１）第２データに基づいて第ｊ数学的規則を生成する第ｊ生成器と、第ｊ第１データを前記第ｊ数学的規則により第ｊ第２データに変換する第ｊ変換器と、第ｊ第２データに基づいて第（ｊ＋１）数学的規則を生成する第（ｊ＋１）生成器とが追加され、単一連鎖が実現される。第ｊ生成器は、第ｊ第１データと第ｊ第２データとに基づいて第ｊ数学的規則を生成し、第（ｊ＋１）生成器は、第（ｊ＋１）第１データと第（ｊ＋２）第２データとに基づいて第（ｊ＋２）数学的規則を生成し、単一連鎖の改ざんが不可能化する。第ｊ数学的規則と第（ｊ＋１）数学的規則とは公開され得る。
【００１３】
第１第１データと第２第１データとを受信して受け付ける受付コンピュータ（）と、第１第１データと第２第１データとを記録する第１メモリ（）と、第１第２データと第２第２データとを記録する第２メモリとが更に追加される。第１メモリ（）と第２メモリとの存在は、データの復元を可能にする。両メモリは、空間的に離隔されている物理的物体であることが重要である。一方のメモリの破壊は、単一連鎖の破壊を証拠づける。
【００１４】
第１第１データと第２第１データとを受信して受け付ける受付コンピュータ（）と、前記第１第１データと前記第２第１データとを記録する第１第１メモリと、第１第１データと第２第１データとを記録する第１第２メモリと、第１第２データと第２第２データとを記録する第２第１メモリと、第１第２データと第２第２データとを記録する第２第２メモリとにより、２重化メモリを構成することは有意義であり、特に、第１第１メモリと第１第２メモリとは、電磁気学的に接続されず、空間的に離隔されている物理的物体であり、且つ、第２第１メモリと第２第２メモリとは、電磁気学的に接続されず、空間的に離隔されている物理的物体であり、独立するファイアウオールにより、データ保存の安全性がより確実化する。それらのメモリのうち第１第１メモリと第２第１メモリとは公開されているが、他の残りのメモリは公開されていない。第１第１メモリと第２第１メモリとはインタネットを介して公開されていることが有意義である。第１第２メモリと第２第２メモリとは公開されていないことが有意義である。
【００１５】
受付コンピュータは、第１第１データと第２第１データとに第１受付時刻と第２受付時刻とをそれぞれに付加して第１受付時刻付データと第２受付時刻付データとにそれぞれに変換し、受付コンピュータは、第１受付時刻付データと第２受付時刻付データとを第１データと第２データとにそれぞれに読み替える。時刻が自己内に取り込まれ、データ自体が時間的情報を持つ。改ざんされ得ない時刻情報は、それの論理列の位置に１対１に対応する。
【００１６】
第１第１データと第２第１データとは、第ｎ第１データと第ｎ第２データとして表現され、第ｎ第１データには知覚許容又は知覚拒否のいずれかである知覚可否データが含まれ、受付コンピュータは、知覚許容に基づいて第ｎ第１データを第３者（インタネット）に対して開放し、知覚拒否に基づいて第ｎ第１データを第３者に対して秘匿する。データは、公開又は非公開で保存され得る。
【００１７】
第ｎ第１データの集合は、連鎖データと言われ、その連鎖データは、第１連鎖データと第２連鎖データに分割され、知覚許容に対応する第ｎ第１データは、第１連鎖データに属し、且つ、第２連鎖データに属さず、知覚拒否に対応する第ｎ第１データは、第２連鎖データに属し、且つ、第１連鎖データに属さない。公開データと非公開データが異なる２つの連鎖データの要素であり、公開と非公開のコンピュータ上の手続が簡素化される。
【００１８】
受付コンピュータは、知覚拒否を知覚許容に変更して、第２連鎖に属する第ｎ第１データを第１連鎖データに移すことが可能である。この場合、時間列と論理列との対応がは依然として破壊され得ない。第１数学的規則と第２数学的規則と第３数学的規則とはそれぞれに公開されていることは有意義である。
【００１９】
第１第１データ（Ｘ”ｊ”）は第１単位データに分割され、第１第２データ（）は第２単位データに分割され、第１単位データはｎ次元２進値で構成されるｎ次元ベクトルであり、ｎ行ｎ列の置換行列が第２単位データに基づいて形成され、第２数学的規則（Ｒ”ｊ＋１”）はｎ次元ベクトルを置換行列により変換する規則（写像）である。このような変換規則は、第１第１データ（Ｘ”ｊ”）を余すところなくデータ変換することができる規則として格別に簡素である。公開データに関しては、複雑な変換の規則は必要ではない。変換規則は、置換行列に対応する置換変換要素に反転変換要素と恒等変換要素とが複合されて、全単射の写像構造を形成する。
【００２０】
第２第１データは第１単位データに分割され、第１第２データは第２単位データに分割され、第１単位データはｎ次元２進値で構成されるｎ次元ベクトルであり、ｎ行ｎ列の第１置換行列が第２単位データに基づいて形成され、第２第１データは第３単位データに分割され、ｎ行ｎ列の第２置換行列が第３単位データに基づいて形成され、第２数学的規則はｎ次元ベクトルを第１置換行列と第２置換行列とにより変換する規則である。この変換規則は、簡素である。
【００２１】
ｎは１６又は１６の倍数であり、ｎ行ｎ列の置換行列は、２つの対角行列で表現され、２つの対角行列は同じであり、対角行列は８行８列又はｓ行ｓ列の行列であり、ｎ＝２ｓである。この規則は、特に簡素である。より複雑な規則は、無数に存在する。
【００２２】
数学的規則は、時系列的遅れ時間座標系で複数回が第２第１データに適用される。時系列的遅れ時間座標系で複数回の適用は、常態的にデータ改ざんを実質的にリアルタイムでチェックすることができる。
【００２３】
本発明によるデータ保存システムは、第１連鎖第１第１データを第１連鎖第１数学的規則により第１連鎖第１第２データに変換する第１連鎖第１変換器と、第１連鎖第１第２データに基づいて第１連鎖第２数学的規則を生成する第１連鎖第１生成器と、第１連鎖第２第１データを第１連鎖第２数学的規則により第１連鎖第２第２データに変換する第１連鎖第２変換器と、第１連鎖第２第２データに基づいて第１連鎖第３数学的規則を生成する第１連鎖第２生成器と、第１連鎖第１第１データを第２連鎖第１数学的規則により第２連鎖第１第２データに変換する第２連鎖第１変換器と、第１連鎖第１第１データと第２連鎖第１第２データとに基づいて第２連鎖第２数学的規則を生成する第２連鎖第１生成器と、第１連鎖第２第１データを第２連鎖第２数学的規則により第２連鎖第２第２データに変換する第２連鎖第２変換器と、第１連鎖第２第１データと第２連鎖第２第２データとに基づいて第２連鎖第３数学的規則を生成する第２連鎖第２生成器と、第１連鎖第１第１データと第１連鎖第２第１データとを記録する第１メモリと、第１連鎖第１第２データと第１連鎖第２第２データとを記録する第２メモリと、第２連鎖第１第２データと第２連鎖第２第２データとを記録する第３メモリとから構成される。このような構成は、論理的に改ざんが不可能である単一連鎖データの改ざんを物理的に実質的に不可能にする。
【００２４】
本発明によるデータ保存方法は、受付コンピュータと、計算規則を表現する数式のパラメータを数値に置き換えてデータを変換するデータ変換コンピュータと、データとデータ変換コンピュータにより変換されたデータを記録するメモリとを用いてデータを保存するデータ保存方法であり、計算規則は時系列データの時間的順序を論理的順序に変換する計算規則であり、下記ステップの集合：受付コンピュータが時系列データを受け付けるステップと、データ変換コンピュータが計算規則に従って時系列データを論理列データに変換するステップから構成されている。
【００２５】
その計算規則は、下記ステップの集合：データ変換コンピュータが時系列データのうち時間的に先である時間的先行データ集合をデータ変換論理集合に従って論理データ集合に写像変換するステップと、論理データ集合に基づいてデータ変換変換論理集合を生成するステップとから構成されている。データ変換論理集合は、部分集合を構成することができ、ぞの部分集合は全体の集合の要素であり得て、集合の要素間に時間情報を組み込むことができる。
【００２６】
【発明の実施の形態】
図１に対応して、本発明によるデータ保存システムは、公開用コンピュータがデータ変換コンピュータとともに設けられている。その公開コンピュータ（又は受付コンピュータ）１は、図１に示されるように、データ変換化コンピュータ２に接続している。情報開示者は、情報開示者端末４から自己が作成した情報開示者データ３を任意の時刻に随意に公開コンピュータ１に送付することができる。情報開示者データ３は、随意に暗号化されて公開コンピュータ１に送信されることが可能である。
【００２７】
時刻データ配信機関５は、時刻データ６を時々刻々に公開コンピュータ１に送信している。公開コンピュータ１が情報開示者端末４から情報開示者データ３を受信する時刻は、無意識的に公開コンピュータ１の中で存在する。公開コンピュータ１は、時刻データ６の全てをリアルタイムに受信している。情報開示者データ３は、図２に示されるように、データ部分７と、データ部分７に時間的に先行する時刻記載用空白部分８と、時刻記載用空白部分８に時間的に先行するパスワード部分９と、パスワード部分９に時間的に先行する受信用ヘッダ部分１１とから構成されている。パスワード部分９は、情報開示者に既に与えられている氏名、名称、住所のような本人開示情報（空白で可能）１２と、本人秘匿ＩＤ番号１３とから形成されている。
【００２８】
時刻データ６の集合｛ｔｊ｝は、公開コンピュータ１が情報開示者端末４からそのヘッド部分を受容し始める受容時刻ｔは、隣り合う２つの時刻データ６であるｔｊ−１とｔｊとの間に必ず存在する。受容時刻ｔは、公開コンピュータ１の中で時刻ｔｊに対応づけられる。以下、ｔｊはプライオリティ時刻といわれる。消去されるパラメータである受容時刻ｔは、公開コンピュータ１の中で明白に生成される必要がない無意識的時刻であり、自らが備えるクロックに基づく情報処理回路の中で、ｔとｔｊとの時間的先後関係を物理的に無意識的に認識することができる。
【００２９】
公開コンピュータ１は、プライオリティ時刻ｔｊとデータＤｊとが対応する組を生成する。その組の生成は、公開コンピュータ１がプライオリティ時刻ｔｊを時刻記載用空白部分８に書き込むことにより実行される。時刻対応データ（ｔｊ−Ｄｊ）１４を要素とするの組の集合は、以下、｛（ｔｊ−Ｄｊ）｝で表され、時刻データ対応集合１５と言われる。公開コンピュータ１は、インタネット１６に含まれ、又は、インタネット１６に接続している。時刻データ対応集合｛（ｔｊ−Ｄｊ）｝１５は、インタネット１６の任意のネット内端末１７に対して任意の時刻に公開コンピュータ１を通して公開される。システムの切換時間、システムの停止時間のような時間は、その任意の時刻に含まれない。
【００３０】
時刻データ対応集合１５の要素である時刻対応データ（ｔｊ−Ｄｊ）１４、又は、時刻データ対応集合１５の部分集合は、公開コンピュータ１から出力されスイッチ１８を介してデータ変換コンピュータ２に入力される。時刻対応データ（ｔｊ−Ｄｊ）１４は、不定時刻にデータ変換コンピュータ２に転送される。データ変換コンピュータ２は、一時記憶器１９と連鎖変換計算器２１を含んでいる。一時記憶器１９は、時刻対応データ（ｔｊ−Ｄｊ）１４又は時刻対応データ（ｔｊ−Ｄｊ）１４の集合を一時的に記憶する。連鎖変換計算器２１は、時刻対応データ（ｔｊ−Ｄｊ）１４をデータ変換し変換時刻対応データ（ｔｊ’−Ｄｊ’）１４’を生成する。時刻対応データ（ｔｊ−Ｄｊ）１４は、変換時刻対応データ（ｔｊ’−Ｄｊ’）１４’に１対１に対応している。時刻対応データ（ｔｊ−Ｄｊ）１４を変換時刻対応データ（ｔｊ’−Ｄｊ’）１４’に変換する写像が存在し、且つ、変換時刻対応データ（ｔｊ’−Ｄｊ’）１４’を時刻対応データ（ｔｊ−Ｄｊ）１４に変換する逆写像が必ず存在する。
【００３１】
データ変換コンピュータ２は、第１生データ保存器２２と第１変換データ保存器２３とを支配している。一時記憶器１９は、時刻対応データ（ｔｊ−Ｄｊ）１４を第１生データ保存器２２に出力する。一時記憶器１９から出力される時刻対応データ（ｔｊ−Ｄｊ）１４は、第１生データ保存器２２に保存される。連鎖変換計算器２１は、変換時刻対応データ（ｔｊ’−Ｄｊ’）１４’を第１変換データ保存器２３に出力する。連鎖変換計算器２１から出力される変換時刻対応データ（ｔｊ’−Ｄｊ’）１４’は、第１変換データ保存器２３に保存される。第１生データ保存器２２は、第１変換データ保存器２３とともに固定的に配置されている。第１生データ保存器２２と第１変換データ保存器２３の固定位置は、未知状態に保持され、且つ、公開コンピュータ１とデータ変換コンピュータ２を管理する管理者に不知であることが好ましい。時刻対応データ（ｔｊ−Ｄｊ）１４と変換時刻対応データ（ｔｊ’−Ｄｊ’）１４’は、通常の変換処理を受けて第１生データ保存器２２と第１変換データ保存器２３に対して有線又は無線でそれぞれに送信されることが好ましい。
【００３２】
データ変換コンピュータ２は、第２生データ保存器２４と第２変換データ保存器２５とを支配している。一時記憶器１９は、時刻対応データ（ｔｊ−Ｄｊ）１４を第２生データ保存器２４に出力する。一時記憶器１９から出力される時刻対応データ（ｔｊ−Ｄｊ）１４は、第２生データ保存器２４に保存される。連鎖変換計算器２１は、変換時刻対応データ（ｔｊ’−Ｄｊ’）１４’を第１変換データ保存器２３に出力する。連鎖変換計算器２１から出力される変換時刻対応データ（ｔｊ’−Ｄｊ’）１４’は、第２変換データ保存器２５に保存される。第２生データ保存器２４は、第２変換データ保存器２５とともに可動的に配置されている。第２生データ保存器２４と第２変換データ保存器２５の移動先位置は、未知状態に保持され、公開コンピュータ１とデータ変換コンピュータ２を管理する管理者に知られている。時刻対応データ（ｔｊ−Ｄｊ）１４と変換時刻対応データ（ｔｊ’−Ｄｊ’）１４’は、通常の変換処理を受けて第２生データ保存器２４と第２変換データ保存器２５とに対して有線又は無線でそれぞれに送信されることが好ましい。
【００３３】
第２生データ保存器２４は、時刻対応データ（ｔｊ−Ｄｊ）１４又は時刻データ対応集合１５の部分集合を保存する第１保存媒体であり、データ変換コンピュータ２から物理的に切断され、情報的に完全にデータ変換コンピュータ２から切断される。その第１保存媒体としては、磁気メモリ、光メモリが好適に例示される。時刻対応データ（ｔｊ−Ｄｊ）１４又は時刻データ対応集合１５の部分集合を保存する磁気メモリ、光メモリのような第１保存媒体は、多数が複製される。多数の第１保存媒体のうちの１つは、金庫のような保存庫２６に永久的に、且つ、複製的に保管される。多数の第１保存媒体のうちの他のいくつかは、情報提供者、図書館のような公共的機関に任意的に配布される。
【００３４】
第２変換データ保存器２５は、変換時刻対応データ（ｔｊ’−Ｄｊ’）１４’又は変換時刻対応データ（ｔｊ’−Ｄｊ’）１４’の全体集合の部分集合を保存する第２保存媒体であり、データ変換コンピュータ２から物理的に切断され、情報的に完全にデータ変換コンピュータ２から切断される。その第２保存媒体としては、磁気メモリ、光メモリが好適に例示される。変換時刻対応データ（ｔｊ’−Ｄｊ’）１４’又は変換時刻対応データ（ｔｊ’−Ｄｊ’）１４’の全体集合の部分集合を保存する磁気メモリ、光メモリのような第２保存媒体は、多数が複製される。多数の第２保存媒体のうちの１つは、保存庫２６に永久的に、且つ、複製的に保管される。多数の第２保存媒体のうちの他のいくつかは、情報提供者、図書館のような公共的機関に任意的に配布される。
【００３５】
図３は、データ変換コンピュータ２の連鎖変換計算器２１の計算器部分と計算フローを示している。連鎖変換計算器２１は、データ共通変換器２７を構成している。データ共通変換器２７は、第１順位時刻対応データ（ｔ１−Ｄ１）１４−１を第１順位変換時刻対応データ（ｔｊ’−Ｄｊ’）１４’−１に、次式で規定される第１順位連鎖変換計算式により変換する。
（ｔ１’−Ｄ１’）＝［Ｍｊｋ，０］（ｔ１−Ｄ１）・・・（１−１）
ここで、［Ｍｊｋ，０］はデータ変換行列集合の要素のうち初期要素として人為的に選択されて定められている第０順位行列データである。特に、データ変換行列集合は、後述されるように置換行列集合として固有的に且つ人為的に定められて与えられる。
【００３６】
連鎖変換計算器２１は、連鎖変換データ抽出計算器２８を形成している。連鎖変換データ抽出計算器２８は、後述される数学的共通規則２９を有している。連鎖変換データ抽出計算器２８は、共通数学的規則２９に従って、第１順位変換データ時刻対応データ（ｔｊ’−Ｄｊ’）１４’−１から第１順位行列データ［Ｍｊｋ，１］２９−１を生成する。
【００３７】
データ共通変換器２７は、第１順位行列データ［Ｍｊｋ，１］２９−１に従って、第２順位時刻対応データ（ｔ１−Ｄ１）１４−２を第２順位変換時刻対応データ（ｔ２’−Ｄ２’）１４’−２に第２順位連鎖変換計算式により変換する。（ｔ２’−Ｄ２’）＝［Ｍｊｋ，１］（ｔ２−Ｄ２）・・・（１−２）
【００３８】
連鎖変換データ抽出計算器２８は、共通数学的規則２９に従って、第（ｎ−１）順位変換時刻対応データ（ｔｊ’−Ｄｊ’）１４’−（ｎ−１）から第（ｎ−１）順位行列データ［Ｍｊｋ，１］２９−（ｎ−１）を生成する。データ共通変換器２７は、第（ｎ−１）順位行列データ［Ｍｊｋ，１］２９−（ｎ−１）に従って、第ｎ順位時刻対応データ（ｔｎ−Ｄｎ）１４−ｎを第ｎ順位変換時刻対応データ（ｔｎ’−Ｄｎ’）１４’−ｎに第ｎ順位連鎖変換計算式により変換する。
（ｔｎ’−Ｄｎ’）＝［Ｍｊｋ，ｎ］（ｔｎ−Ｄｎ）・・・（１−ｎ）・・・（１−ｎ）
【００３９】
第ｊ順位時刻対応データ（ｔｊ−Ｄｊ）１４−ｊと第ｊ順位変換時刻対応データ（ｔｊ’−Ｄｊ’）１４’−ｊとは、データ変換コンピュータ２から公開コンピュータ１に送信される。公開コンピュータ１は、第ｊ順位時刻対応データ（ｔｊ−Ｄｊ）１４−ｊと第ｊ順位変換データ時刻対応データ（ｔｊ’−Ｄｊ’）１４’−ｊとをインタネット１６の任意のネット内端末１７に対して開示する。公開コンピュータ１は、一般式である第ｎ順位連鎖変換計算式（１−ｎ）を共通数学的規則２９とともにインタネット１６の任意のネット内端末１７に対して開示している。
【００４０】
変換規則の数学的基礎：
変換規則の数学的基礎が、数学的証明とともに次に例示されて記述される。第ｊ順位時刻対応データ（ｔｊ−Ｄｊ）１４−ｊは、以下、Ｃｊで表される。データＣｊは、２進数の順序列である。データＣｊは、１６桁の２進数から形成される１６桁２進数時系列順序数列に分割される：
Ｃ”ｊ”＝（１６桁２進数），（１６桁２進数），・・・，（１６桁２進数）
１６桁２進数は、ｊについて、ａ”ｊｉ”で表される。
Ｃ”ｊ”＝ａ”ｊ１”，ａ”ｊ２”，・・・，ａ”ｊｉ”・・・（２）
１６桁２進数の全体は、Ｖで表される。Ｖは２元体上１６次元のベクトル空間とみなせる。
ａ”ｊｉ”∈Ｖ
【００４１】
次に、置換行列と、０と１とを反転させる反転作用素と、恒等作用素と、反転作用素および恒等作用素を要素とする複合作用素群が導入される。：
Ｌ：８×８置換行列の全体
ｒ：反転作用素（１，１，１，１，１，１，１，１）＆Ｔ＆　を足す
ｅ：恒等作用素（０，０，０，０，０，０，０，０）＆Ｔ＆　を足す
Ｎ：｛ｒ，ｅ｝：複合作用素群
【００４２】
置換行列全体Ｌと複合作用素Ｎとは、それぞれに、２元体上８次元ベクトル空間に作用する群である。：
ｒ＆２＆＝ｅ，
ｒｅ＝ｒ
Ｌ×Ｎ：ＬとＮの直積集合
Ｌ×Ｎの要素は２元体上８次元のベクトル空間に作用する。
以下ベクトルｖへの作用素Ａの作用を
Ａ・ｖ
と表す。
例、
Ｖ８：２元体上８次元のベクトル空間
ｖ＝（１，０，０，１，０，０，１，０）∈Ｖ８　，
ｒ＝（１，１，１，１，１，１，１，１）∈Ｎ
に対して、
ｒ・ｖ＝（０，１，１，０，１，１，０，１）
などと表す。
例終わり。
【００４３】
集合Ｖの元の個数＝２＆１６＆＝（概ね）６５０００
集合Ｌの元の個数＝８！＝（概ね）４００００
集合Ｎの元の個数＝２
集合Ｌ×Ｎの元の個数＝８！×２＝（概ね）８００００
【００４４】
置換行列は、１，２，３，４，５，６，７，８の８つの全ての数を含む８桁１０進数で表現することができる。ｎ行目に１がある列がｂ”ｎ”で表されれば、任意の置換行列は、
ｂ”１”ｂ”２”ｂ”３”ｂ”４”ｂ”５”ｂ”６”ｂ”７”ｂ”８”
で表される。
集合Ｌ×Ｎの元の数は、集合Ｖの元の数より多い。このことは、集合Ｖを集合Ｌ×Ｎに埋め込むことができることを示している（ＶからＬ×Ｎに移す単射が存在する。）。
集合Ｌ×Ｎの元は、一般的には、
（ｒ，ｂ”１”ｂ”２”ｂ”３”ｂ”４”ｂ”５”ｂ”６”ｂ”７”ｂ”８”）
又は、
（ｅ，ｂ”１”ｂ”２”ｂ”３”ｂ”４”ｂ”５”ｂ”６”ｂ”７”ｂ”８”）
で表される。
ＶからＬ×Ｎに移す単射がｆで表される。：
ｆ：Ｖ→Ｌ×Ｎ
ｆ（００００００００００００００００）＝（ｅ，１２３４５６７８）∈Ｌ×Ｎ
ｆ（０００００００００００００００１）＝（ｅ，１２３４５６８７）∈Ｌ×Ｎ
ｆ（１０００１１１０１１００００００）＝（ｅ，８７６５４３２１）∈Ｌ×Ｎ
ｆ（１０００１１１０１１０００００１）＝（ｒ，１２３４５６７８）∈Ｌ×Ｎ
ｆ（１１１１１１１１１１１１１１１１）＝（ｒ，６１２３７８４５）∈Ｌ×Ｎ
従って明らかに、
ｆ（Ｖ）⊂Ｌ×Ｎ（証明終わり）
ｆは、このように、Ｖとｆ（Ｖ）の間に全単射（１対１の対応）を与えている。
【００４５】
任意の第ｊ順位変換時刻対応データ（ｔｊ’−Ｄｊ’）１４’−ｊは、１つの置換行列［Ｍｊｋ，ｊ］を必ず発出する。置換行列［Ｍｊｋ，ｊ］は、第ｊ順位変換時刻対応データ（ｔｊ’−Ｄｊ’）１４’−ｊの必要条件である。集合Ｌ×Ｎの要素（元）は、以下で、変換作用素といわれる。
【００４６】
実施例：
漢字とひらかなとカタカナのみから形成される文書は、１文字が１６ビットの２進値で表されている。全文字数が３００００である第９９９９番目の科学技術文献１４−９９９９は、３００００個の順序数（ｎ，ａｊａｋａｌａｍａｎａｏａｐａｑ）−９９９９に対応する３００００個の変換作用素を持つ。その順序数（ｎ，ａｊａｋａｌａｍａｎａｏａｐａｑ）−９９９９に対応する科学技術文献より時系列上で次の時刻に受付られる第１００００番目の科学技術文献１４−１００００は、２００００個の文字数で形成されている。第１００００番目の２００００個のデータは、９９９９番目の科学技術文献に対応する３００００個の変換作用素のうちの２００００個の変換作用素により変換される。任意２つの順序数は、その変換関係で論理的先後が必ず存在し、第９９９９番目の科学技術文献が第１００００番目の科学技術文献より時間的に先に公開コンピュータ１により受容された証拠は、順序数（ｎ，ａｊａｋａｌａｍａｎａｏａｐａｑ）−９９９９と順序数（ｎ，ａｊａｋａｌａｍａｎａｏａｐａｑ）−１００００の順序により裏付けられる。順序数（ｎ，ａｊａｋａｌａｍａｎａｏａｐａｑ）−９９９９は、順序数（ｎ，ａｊａｋａｌａｍａｎａｏａｐａｑ）−１００００より論理的に先行している。順序数は、数学的大小関係に基づく順序数ではなく、論理的前後関係を有する論理的順序数である。計算順序が時刻順序であることは、物理学と数学に共通する共通公理である。論理学的順序数は、時系列上順序数である。第１００００番目の科学技術文献１４−１００００が４００００個の文字数で形成されている場合には、その４００００個の文字は、第９９９９番目の科学技術文献１４−９９９９に対応する２００００個の変換作用素とその２００００個の変換作用素のうちの初めから数えて１００００個の変換作用素との３００００個の変換作用素とにより置換的に変換される。
【００４７】
Ｃｊの１６桁２進数のうちで第ｐ番目の１６桁２進数は、Ｃｊ，ｐで表される。このＣｊ，ｐは、特定される変換作用素Ａｔｓに１対１に対応している。次式で変換規則が規定される。
【数１】
2004054865.tif 000003
（５−２）式はＡｔｓが上８次元部分、下８次元部分に作用することを表す。１つが、次のように例示される。
【数２】
2004054865.tif 000004
【００４８】
１つの規則として例示される式（５−１，２）は、１６ビットコンピュータによる計算のために好都合であるが、３２ビット対応計算機が用いられる場合には、置換行列Ｍｔｓは３２×３２の行列で表され、用いられる文字の種類の数は実質的に無制限に拡大される。第１００００番目の科学技術文献が、そっくりと改ざんされた場合には、その改ざんされた科学技術文献２８−１００００は、第９９９９番目の科学文献１４−９９９９に１対１に対応する置換行列［Ｍｊｋ，９９９９］により変換される。改ざんの後のデータが置換行列［Ｍｊｋ，ｊ］により変換された変換データ２８−１００００は、第１００００番目の科学技術文献が置換行列［Ｍｊｋ，９９９９］により変換された正規の変換データ１４’−１００００とは全く異なっている。：
１４’−１００００≠２８’−１００００
【００４９】
データ１４−９９９９より論理的に後であるデータの全てが改ざんされなければ、その改ざんの位置番号である９９９９は確定的に知られる。改ざんの事実が第２生データ保存器２４で発見された場合には、データ１４−９９９９は第１生データ保存器２２から第２生データ保存器２４に転写され、データ１４’−９９９９は第１変換データ保存器２３から第２変換データ保存器２５に転写され、それぞれに、完全に復元される。
【００５０】
図４は、第１生データ保存器２２、第１変換データ保存器２３、第２生データ保存器２４、第２変換データ保存器２５に保存されるデータの保存形式を示している。保存データ２９−ｊは、順序数の論理的順番３１−ｊと、公開コンピュータ１が受容した時刻に対応する既述のプライオリティー時刻ｔｊと、論理的順序数ａｊａｋａｌａｍａｎａｏａｐａｑ３２−ｊと、置換行列［Ｍｊｋ，ｊ］と、データ１４−ｊとから形成される１つのパケットとして構成されている。保存データ２９−ｊが置換行列［Ｍｊｋ，ｊ−１］により変換された変換データ２９’−ｊは、それぞれに置換行列［Ｍｊｋ，ｊ−１］により変換されたプライオリティー時刻ｔｊ’と、論理的順序数ａｊａｋａｌａｍａｎａｏａｐａｑ３２’−ｊと、置換行列［Ｍｊｋ’，ｊ］と、データ１４’−ｊとから形成される１つのパケットとして構成されている。
【００５１】
公開コンピュータ１は、保存データ２９−ｊと変換データ２９’−ｊとをインタネット１６の中の任意のネット内端末１７に対して開示している。改ざんする悪意を持つ犯罪者、又は、改ざんする意思を持たず過失により改ざんする犯罪者は、実は、任意のデータ１４−ｊを改ざんすることができない。改ざんの証拠を残さない改ざんはあり得ない。第１生データ保存器２２と第１変換データ保存器２３と第２生データ保存器２４と第２変換データ保存器２５とを同時的に盗難することは、論理的にはあり得る。しかし、３重のファイアウオールで守られる第２生データ保存器２４と第２変換データ保存器２５の全てを改ざんすることは実質的に不可能である。３重のファイアウオールで守られる第２生データ保存器２４と第２変換データ保存器２５の全てが改ざんされた場合には、世界中に分散している第２生データ保存器２４と第２変換データ保存器２５とから元の通りに全情報の復元が可能である。
【００５２】
本発明によるデータ保存システムには、開示されないデータは存在しない。第ｊ順位時刻対応データ（ｔｊ−Ｄｊ）１４−ｊ又は第ｊ順位変換時刻対応データ（ｔｊ’−Ｄｊ’）１４’−ｊを公開されているプロトコルを用いて公開コンピュータ１を通して改ざんした場合には、その改ざんした時刻がその改ざん後のデータとともに公開コンピュータ１又はデータ変換コンピュータ２に残る。改ざん後のデータが第１生データ保存器２２又は第２生データ保存器２４に出力された場合には、改ざん前のデータは変更されない。
【００５３】
改ざん不可能状態を維持する計算システムは、全データにそれぞれに対応する論理的順序数を内在させている。全データは、不特定人が任意の時刻に全データのなかの任意のデータを見て知り、且つ、その任意のデータを自己端末に複製することができ、そのデータの時間的位置を知ることができる。
【００５４】
公開コンピュータ１に取り込まれる１秒間隔時系列の１つの時刻データである第ｊ番目時刻である”２００２０７２５０９４３２６”は、第ｊ順位時刻対応データ（ｔｊ−Ｄｊ）１４−ｊに含まれることは好ましい。第ｊ番目時刻は、公開コンピュータ１が付与するデータであるが、公開コンピュータ１は世界標準時刻を利用していて、人為的に変更することは不可能である。第ｊ順位時刻対応データ（ｔｊ−Ｄｊ）１４−ｊは、公開コンピュータ１により、世界的標準時刻に１対１に対応づけられる。第ｊ番目時刻を第ｊ順位時刻対応データ（ｔｊ−Ｄｊ）１４−ｊに含ませることが可能である。公開コンピュータ１は、第ｊ順位時刻対応データ（ｔｊ−Ｄｊ）１４−ｊを受容したときに、既に受信している最新の世界標準時刻８’をその第ｊ順位時刻対応データ（ｔｊ−Ｄｊ）１４−ｊの冒頭領域の時刻記載用空白部分８に書き込む。第ｊ順位時刻対応データ（ｔｊ−Ｄｊ）１４−ｊは、これに固有である連続受理番号８”を有している。公開コンピュータ１は、第ｊ順位時刻対応データ（ｔｊ−Ｄｊ）１４−ｊを受容したときに、世界標準時刻８’とともに連続受理番号８”を時刻記載用空白部分８に書き込む。時刻記載用空白部分８に記載される世界標準時刻８’と連続受理番号８”とは、第ｊ順位時刻対応データ（ｔｊ−Ｄｊ）１４−ｊに数学的に恒等である。従って、以下の式が成り立つ。
Ｃｊ’＝Ｃｊ＋８’
＝Ｃｊ＋８’＋８”・・・（５−１）
Ｃｊ’⇔Ｃｊ＋８’＋８”・・・（５−２）
【００５５】
公開コンピュータ１は、受理するデータに時刻と受理番号を付加してＣｊ’をデータ変換化コンピュータ２に送信する。連続番号がｊであるＣｊ’は、それ自体の中にそれ自体に同値的に固有である時刻８’とそれ自に同値的に固有である連続番号８”を内在させている。従って、データｊは、連続番号８”の表示番号”８””を表示し、且つ、自己に固有である連続番号を持つ命題である。連続番号８”は、連続番号８”の表示番号”８””を表示し、且つ、自己に固有である連続番号を持つ命題に１対１に対応する番号であるという意味で、連続番号８”はゲーデル番号の地位を有している。
【００５６】
”２００２０７２５０９４３２６”が欠けているデータは、その時刻の前後のデータの時刻の間にあるデータに数学的に同値である。”２００２０７２５０９４３２６”に記載漏れは本質的にあり得るが、記載漏れにより表現”２００２０７２５０９４３２６”がないデータｊは、表現”２００２０７２５０９４３２６”を取り戻すことができる。但し、表現漏れの”２００２０７２５０９４３２６”をそのデータｊに記載的に（表現的に）付加することは、本質的に改ざんに相当し、原則的に許されない。
【００５７】
全てのデータ１４−ｊと全てのデータ１４’−ｊとは、置換行列で記述される。全てのデータ１４−ｊと全てのデータ１４’−ｊとは、置換行列で構成されるＳ×Ｓの第（ｊ−１）番目単一正方置換行列で表される。第ｊ番目のデータは、規則によりＳ×Ｓの第ｊ番目単一正方行列に再表現され、第ｊ番目単一正方行列は第（ｊ−１）番目単一正方置換行列がかけられて第ｊ番目単一正方変換行列に変換される。第ｊ番目単一正方変換行列は、データ１４’−ｊの形式に戻され、データ１４’−ｊから第ｊ番目単一正方置換行列が生成する。
【００５８】
従って、データ１４−ｊの集合である｛（ｔｊ−Ｄｊ）｝は、連鎖体である。連鎖体は、時々刻々に増加する数ｎで表されるｎ個の｛（ｔｊ−Ｄｊ）｝の連鎖である。増殖し続ける単一連鎖体の部分がＸｊで表されれば、部分連鎖体Ｚは、次式で一般化されて表現される。：
部分連鎖体＝Ｙ０Ｘ１＋Ｙ１（Ｙ０Ｘ１）Ｘ２＋Ｙ２（Ｙ１（Ｙ０Ｘ１）Ｘ２）Ｘ３＋Ｙ３（Ｙ２（Ｙ１（Ｙ０Ｘ１）Ｘ２）Ｘ３）Ｘ４＋Ｙ４（Ｙ３（Ｙ２（Ｙ１（Ｙ０Ｘ１）Ｘ２）Ｘ３）Ｘ４）Ｘ５＋Ｙｎ（Ｙｎ（Ｙｎ−１（Ｙｎ−２・・・Ｙ１（Ｙ０Ｘ１）Ｘ２）・・・Ｘｎ）Ｘｎ＋１
Ｘ１：初期データ
Ｙ０：初期関数
ｎ（ｔｊ＋１）＝ｎ（ｔｊ）＋１
連鎖体は、時刻情報が本質的に内在する。連鎖体は、連鎖体内時刻である連鎖体内時系列を有する。連鎖体内時系列は、不変に保持される。Ｙｊは行列であるならば計算が簡素化されるが、本発明によるデータ保存システムでは、計算速度が遅いことは致命的ではない。裁判所に証拠を提出することができる期間の中で計算が終了する程度の計算速度より速い計算速度は、基本的に要求されない。現在の計算速度のパソコンは、１データ１４−ｊに関して、実質的にリアルタイムに計算することができる速度能力を有している。
【００５９】
図５は、情報開示者データ３の改変を示している。情報開示者データ３は、データ部分７と、データ部分７に時間的に先行する時刻記載用空白部分８と、時刻記載用空白部分８に時間的に先行するパスワード部分９と、パスワード部分９に時間的に先行する開示非開示意思表示部分３３と、開示非開示意思表示部分３３に時間的に先行する受信用ヘッド部分１１とから構成されている。パスワード部分９は、情報開示者に既に与えられている氏名、名称、住所のような本人開示情報（空白で可能）１２と、本人秘匿ＩＤ番号１３とから形成されている。開示非開示意思表示部分３３は、情報提供者の意思を示している。開示非開示意思表示部分３３が非開示意思表示であれば、公開コンピュータ１は、データ部分７をインタネット１６に対して開示しない。
【００６０】
開示非開示意思表示部分３３は、開示時刻を含むことができる。開示時刻が含まれている場合には、公開コンピュータ１はその情報開示者データ３を本発明による公開システムの連鎖体に付加する。
【００６１】
図６は、単一連鎖体Ｕを示している。単一連鎖体Ｕは、分割可能である。単一連鎖体Ｕは、分類的に分割される。文芸分割部分連鎖体Ｕ１、物理学分割部分連鎖体Ｕ２、生物学分割部分連鎖体Ｕ３、発明分割部分連鎖体Ｕ４、・・・に分類される。物理学分割部分連鎖体Ｕ２は、物理学修士論文分割部分連鎖体Ｕ２−１に再分割される。
【００６２】
物理学分割部分連鎖体Ｕ２は、これのみの中で写像ｆ（Ｖ）による連鎖写像変換に基づく連鎖体内時系列を本質的に内在させている。物理学修士論文分割部分連鎖体Ｕ２−１は、これのみの中で写像ｆ（Ｖ）による連鎖写像変換に基づく連鎖体内時系列を本質的に内在させている。
【００６３】
時刻対応データ（ｔｊ−Ｄｊ）１４の文字数が９万字（１頁９００字で１００頁の書類で最後の頁は空白文字を含む）であれば、Ｃ＆Ｔ＆”ｊ，ｐ”の個数は９万個である。Ｃ＆Ｔ＆は、行列Ｃの転置行列を表す。これらの行列計算は、同時的に実行され得るから、時系列連鎖変換は実質的にリアルタイムで実行される。１行列計算が０．００１ｍｓｅｃであれば、１０００万件のデータの再時系列連鎖変換計算の所要時間は、約３日である。改ざんの可能性に対処して、時系列連鎖変換計算を常態的に連続的に第１データから開始し続けることにより、実質的にリアルタイムに改ざんの事実を発見することができ、データ侵入は不可能である。このような繰り返しチェック計算は、図７に示されるような分割部分連鎖体Ｕ−ｊに対して独立に行われることは好ましい。
【００６４】
時刻対応データ（ｔｊ−Ｄｊ）１４は、その１頁目に、公開コンピュータ１が受容した受理時刻を持つことが好ましい。その受理時刻に対して、連鎖計算が実行される。時刻対応データ（ｔｊ−Ｄｊ）１４は、その１頁目に、公開コンピュータ１が受容した受理時刻に対応する連続化される受理番号を持つことが好ましい。その受理番号に対して、連鎖計算が実行される。時刻対応データ（ｔｊ−Ｄｊ）１４は、その１頁目に、それの著者名又は著者ＩＤ番号を持つことが好ましい。その著者名又は著者ＩＤ番号に対して、連鎖計算が実行される。
【００６５】
連鎖変換の技術は、文字コードに１対１に対応する置換行列を用いる既述の順繰り変換に限られず、知られている全ての変換技術が用いられる。本発明によるデータ保存システムの変換は連鎖化の結果であり、データ秘匿のための変換の必要性は全くない。
【００６６】
このような変換による改ざん不可能性は、データＣｊとデータＣｊ＋１の間に他のデータを割込ませる割込みの不可能性に数学的に同値である。変換規則は、これら自体が本人、コンピュータ管理者、一般第３者に開示されている。本人、コンピュータ管理者、一般第３者を含む全ての人は、公開平等人と呼ばれる。
【００６７】
特定されるデータに関して不特定人に読取りが可能であり、且つ、そのデータに関して不特定人に割込みが不可能である状態は、そのデータに関して公開状態に数学的に同値である。
公開状態＝（読み取り可能＋割り込み不可能）状態
【００６８】
図７は、多重規則化データ変換を示している。第ｊデータＸ”ｊ”は、第（ｊ−１）規則Ｒ”ｊ−１”により第ｊ置換データＹ”ｊ”に変換される。第”ｊ”データｘ”ｊ”の表現形式は、既述の１６桁２進データである。第（ｊ−１）規則Ｒ”ｊ−１”は、既述の置換行列の複合である。第ｊデータＸ”ｊ”から既述の規則により第１第ｊ変換作用素Ｇ”ｊＸ”が作成される。第ｊ置換データＹ”ｊ”から既述の規則により第２第ｊ変換作用素Ｇ”ｊＹ”が作成される。第１第ｊ変換作用素Ｇ”ｊＸ”と第２第ｊ変換作用素Ｇ”ｊＹ”とは、第ｊ規則合成器Ｚ”ｊ”に入力する。第ｊ規則合成器Ｚ”ｊ”は、規則合成して、第ｊ合成規則Ｒ”ｊ”を生成する。：
【数３】
2004054865.tif 000005
ここで、第１第ｊ変換作用素Ｇ”ｊＸ”は、既述の通り８×８の行列であり、第２第ｊ変換作用素Ｇ”ｊＹ”は、既述の通り８次元部分空間に作用する作用素。
【００６９】
第ｊ合成規則Ｒ”ｊ”は、第（ｊ＋１）データ変換器Ｓ”ｊ＋１”に対して出力される。第（ｊ＋１）データ変換器Ｓ”ｊ＋１”は、第（ｊ＋１）データＸ”ｊ＋１”を第”ｊ＋１”置換データＹ”ｊ＋１”に変換する。第（ｊ＋１）データＸ”ｊ＋１”から第１第（ｊ＋１）変換作用素Ｇ”（ｊ＋１）Ｘ”が作成される。第（ｊ＋１）置換データＹ”ｊ＋１”から第２第（ｊ＋１）変換作用素Ｇ”（ｊ＋１）Ｙ”が作成される。第１第（ｊ＋１）変換作用素Ｇ”（ｊ＋１）Ｘ”と第２第（ｊ＋１）変換作用素Ｇ”（ｊ＋１）Ｙ”とは、第（ｊ＋１）規則合成器Ｚ”ｊ＋１”に入力する。第（ｊ＋１）規則合成器Ｘ”ｊ＋１”は、規則合成して、第（ｊ＋１）合成規則Ｒ”ｊ＋１”を生成する。
【００７０】
第ｊデータＸ”ｊ”は、下記の式により、第（ｊ＋１）置換データＹ”ｊ＋１”に変換されている。
【数４】
2004054865.tif 000006
【００７１】
第（ｊ＋１）データＸ”ｊ＋１”が改ざんされれば、第１第（ｊ＋１）変換作素Ｇ”（ｊ＋１）Ｘ”である対角行列の半分の部分対角行列は保存されず、第２第（ｊ＋１）変換作用素Ｇ”（ｊ＋１）Ｙ”の保存・非保存に関係せずに、第（ｊ＋１）合成規則Ｒ”ｊ＋１”は保存されない。従って、第（ｊ＋１）合成規則Ｒ”ｊ＋１”を保存し、且つ、第（ｊ＋１）データＸ”ｊ＋１”を変更することはできない。
【００７２】
第ｊデータＸ”ｊ”が保存されず、且つ、第（ｊ−１）合成規則Ｒ”ｊ−１”が保存されていれば、第２第ｊ置換データＹ”ｊ”は、第２第ｊ非保存置換データＹ’”ｊ”に変更される。：
Ｙ’ｊ＝Ｒ”ｊ−１”Ｘ’”ｊ”
第２第ｊ非保存置換データＹ’”ｊ”が変更されれれば、第２第ｊ変換作用素Ｇ”ｊＹ”は保存されず第２第ｊ非保存変換作用素Ｇ’”ｊＹ”に変更される。第ｊデータＸ”ｊ”が保存されなければ、第１第ｊ変換作用素Ｇ”ｊＸ”は保存されず第１第ｊ非保存変換作用素Ｇ’”ｊＸ”に変更される。第ｊ規則ＲＸ”ｊ”Ｙ”ｊ”は、第１第ｊ非保存変換作用素Ｇ’”ｊＸ”と第２第ｊ非保存変換作用素Ｇ’”ｊＹ”とにより合成されて、第ｊ非保存規則Ｒ’”ｊＸ’ｊＹ’”に変更される。
【数５】
2004054865.tif 000007
【００７３】
第（ｊ＋１）データＸ”ｊ＋１”が第（ｊ＋１）非保存データＸ’”ｊ＋１”に改ざんされていて、次式が表現される。：
【数６】
2004054865.tif 000008
【００７４】
第（ｊ＋１）データＸ”ｊ＋１”と第（ｊ＋１）非保存データＸ’”ｊ＋１”は、それぞれに、半分割される縦行列で表されている。：
【数７】
2004054865.tif 000009
【００７５】
式（５−１）には、任意のＧ’”ｊＸ”についてそのＧ’”ｊＸ”に１対１に対応するＸ’”（ｊ＋１），１”が解として存在する。式（５−２）には、任意のＧ’”ｊＹ”についてそのＧ’”ｊＹ”に１対１に対応するＸ’”（ｊ＋１），２”が解として存在する。従って、第（ｊ＋１）置換データＹ”ｊ＋１”は保存される。第２第（ｊ＋１）置換データＹ”ｊ＋１”が保存されれば、第２第（ｊ＋１）変換作用素Ｇ”（ｊ＋１）Ｙ”は保存されるが、第１第（ｊ＋１）データＸ”ｊ＋１”は保存されていない。第１第（ｊ＋１）データＸ”ｊ＋１”は保存されなければ、第１第（ｊ＋１）変換作用素Ｇ”（ｊ＋１）Ｘ”は保存されない。第１第（ｊ＋１）変換作用素Ｇ”（ｊ＋１）Ｘ”が保存されなければ、第（ｊ＋１）合成規則Ｒ”（ｊ＋１）”は保存されない。第（ｊ＋１）合成規則Ｒ”（ｊ＋１）”が保存されなければ、第１第（ｊ＋２）データに第（ｊ＋１）合成規則Ｒ”（ｊ＋１）”に基づいて変換的に対応する第２第（ｊ＋２）置換データは保存されない。第１第ｎデータについてｎ＝ｊ＝１〜ｎの全てで改ざんしない限り、その改ざんの証拠が必ず存在する。
【００７６】
図８は、本発明によるデータ保存システムの実施の更に他の形態を示している。実施の本形態は、第１連鎖第１第１データＸ”１”を第１連鎖第１数学的規則Ｒ”１”により第１連鎖第１第２データＹ”１”に変換する第１連鎖第１変換器Ｐ”１”と、第１連鎖第１第２データＹ”１”に基づいて第１連鎖第２数学的規則Ｒ”２”を生成する第１連鎖第１生成器Ｑ”１”と、第１連鎖第２第１データＸ”２”を第１連鎖第２数学的規則Ｒ”２”により第１連鎖第２第２データＹ”２”に変換する第１連鎖第２変換器Ｐ”２”と、第１連鎖第２第２データＹ”２”に基づいて第１連鎖第３数学的規則Ｒ”３”を生成する第１連鎖第２生成器Ｑ”２”と、第１連鎖第１第１データＸ”１”を第２連鎖第１数学的規則Ｓ”１”により第２連鎖第１第２データＺ”１”に変換する第２連鎖第１変換器Ｔ”１”と、第１連鎖第１第１データＸ”１”と第２連鎖第１第２データＺ”１”とに基づいて第２連鎖第２数学的規則Ｓ”２”を生成する第２連鎖第１生成器Ｕ”１”と、第１連鎖第２第１データＸ”２”を第２連鎖第２数学的規則Ｓ”２”により第２連鎖第２第２データＺ”２”に変換する第２連鎖第２変換器Ｔ”２”と、第１連鎖第２第１データＸ”２”と第２連鎖第２第２データＺ”２”とに基づいて第２連鎖第３数学的規則Ｓ”３”を生成する第２連鎖第２生成器Ｕ”２”とを構成している。実施の本形態のメモリは、第１連鎖第１第１データＹ”１”と第１連鎖第２第１データＹ”２”とを記録する第１メモリ（図示されず）と、第１連鎖第１第２データＹ”１”と第１連鎖第２第２データＹ”２”とを記録する第２メモリ（図示されず）と、第２連鎖第１第２データＺ”１”と第２連鎖第２第２データＺ”２”とを記録する第３メモリ（図示されず）とを構成している。
【００７７】
第１メモリは、第２メモリから電気的に物理的に幾何学的に独立している。第２メモリは、第３メモリから電気的に物理的に幾何学的に独立している。第３メモリは、第１メモリから電気的に物理的に幾何学的に独立している。第３メモリは、一般人又は本発明による計算機を管理する管理者から隔絶され秘密化された金庫、物理的（鋼鉄製の）ファイアウオールに格納されることが重要である。
【００７８】
【発明の効果】
本発明によるデータ保存システム、及び、データ保存方法は、データ保存を確立する。
【図面の簡単な説明】
【図１】図１は、本発明によるデータ保存システムの実施の形態を示す回路ブロック図である。
【図２】図２は、データ列を示す線図である。
【図３】図３は、本発明によるデータ保存システムの計算構造を示す計算フロー図である。
【図４】図４は、他のデータ列を示す線図である。
【図５】図５は、更に他のデータ列を示す線図である。
【図６】図６は、更に他のデータ列を示す線図である。
【図７】図７は、本発明によるデータ保存システムの他の計算構造を示す計算フロー図である。
【図８】図８は、本発明によるデータ保存システムの更に他の計算構造を示す計算フロー図である。
【符号の説明】
Ｘ”ｊ”…第１第１データ
Ｘ”ｊ＋１”…第２第１データ
Ｙ＃ｊ＃…第１第２データ
Ｙ”ｊ＋１”…第２第２データ
Ｒ”ｊ−１”…第１数学的規則
Ｒ”ｊ”…第２数学的規則
Ｒ”ｊ＋１”…第３数学的規則
Ｓ＃ｊ＃…第１変換器
Ｓ”ｊ＋１”…第２変換器
Ｚ”ｊ”…第１生成器
Ｚ”ｊ＋１”…第２生成器
【図１】
2004054865.tif 000010
【図２】
2004054865.tif 000011
【図４】
2004054865.tif 000012
【図３】
2004054865.tif 000013
【図５】
2004054865.tif 000014
【図６】
2004054865.tif 000015
【図７】
2004054865.tif 000016
【図８】
2004054865.tif 000017